(57)【要約】【課題】  ドラムの回転時の抵抗を減らすことにより、低騒音であると共に消費電力も低減できるドラム式洗濯機を提供する。【解決手段】  洗濯及び脱水を行なうためのドラム８と、このドラム８が収納される水槽６とを備え、ドラム８の端板部８ｂに形成された凹部８ｃには、モータ９のシャフト１０に連結されたドラム支え１１が設けられ、ドラム８の凹部８ｃの開口部には、略平板状に形成された整流カバー２１が設けられ、以って、ドラム８の端板部８ｂが略平坦に覆われているので、脱水行程においてドラム８が高速回転される際に、抵抗を減らすことができ、騒音を低減することができ、さらに、抵抗が減らされることにより、消費電力を低減させることができる。【選択図】  図３
2006223564.tif 000002
【特許請求の範囲】
【請求項１】
洗濯及び脱水を行なうドラムと、このドラムを内部に収納する水槽とを備え、前記ドラムをその軸心周りに回転駆動させるように構成されたドラム式洗濯機において、
前記ドラムの端板部に設けられ、前記ドラムを支持するシャフトを取付けるドラム支えと、
前記ドラム支えの前記ドラムへの取付け部を略平坦に覆うカバーとを備えたことを特徴とするドラム式洗濯機。
【請求項２】
前記ドラムの端板部に、前記ドラム支えを収容する凹部を設け、
前記カバーによって、前記凹部を塞ぐことにより、前記端板部と前記カバーとを略面一になるように構成したことを特徴とする請求項1記載のドラム式洗濯機。
【請求項３】
前記端板部の凹部の開口縁部に、前記カバーの板厚程度の段部を形成し、この段部に前記カバーを嵌合したことを特徴とする請求項２記載のドラム式洗濯機。
【請求項４】
前記カバーの形状を、前記凹部のうちの前記ドラムの外周側の部分が露出するような形状としたことを特徴とする請求項２記載のドラム式洗濯機。
【請求項５】
前記カバーは、前記ドラムと同一材で形成されていることを特徴とする請求項２記載のドラム式洗濯機。
【請求項６】
洗濯及び脱水を行なうドラムと、このドラムを内部に収納する水槽とを備え、前記ドラムをその軸心周りに回転駆動させるように構成されたドラム式洗濯機において、
前記ドラムの端板部に設けられ、前記ドラムを支持するシャフトを取付けるドラム支えと、
前記ドラム支えを収容する凹部とを備え、
前記ドラム支えには、補強用の凹凸形状が前記ドラムの端板部に向かって設けられていることを特徴とするドラム式洗濯機。
【請求項７】
前記ドラム支えには、前記凹部の開口を塞ぐような形状部分が設けられていることを特徴とする請求項６記載のドラム式洗濯機。
【発明の詳細な説明】
【技術分野】
【０００１】
本発明は、洗濯及び脱水を行なうドラムと、このドラムを内部に収納する水槽とを備えたドラム式洗濯機に関する。
【背景技術】
【０００２】
例えば、円筒状に形成されたドラムと、このドラムを内部に収納する水槽とを備え、このドラムが、その軸心周りに回転駆動されることにより、ドラム内の洗濯物を撹拌する洗濯、及び、ドラムの内の洗濯物を遠心力により脱水を行なうドラム式洗濯機がある。
【０００３】
このようなドラム式洗濯機のドラムの一例を図１３に示す。
図１３は、ドラム１０１の端板部１０１ａを外側から示す図であり、ドラム１０１の端板部１０１ａには、アルミダイキャスト製のドラム支え１０２が設けられている。このドラム支え１０２の中心部には、ドラム１０１を回転支持するためのシャフト１０３が結合されている。また、ドラム支え１０２の外面に、補強用のリブ（凹凸形状）１０２ａが形成されている。
尚、特許文献１には、ドラムの端板部にドラム支えが設けられた構成のドラム式洗濯機が開示されている。
【特許文献１】特開平１１−２０７０７７号公報
【発明の開示】
【発明が解決しようとする課題】
【０００４】
しかしながら、従来構造のものでは、ドラム支え１０２がドラム１０１の端板部１０１ａに設けられていることで、ドラム１０１の端板部１０１ａには段部ができると共に、ドラム支え１０２にはリブ１０２ａが形成されているため、脱水行程等においてドラム１０１が高速回転される際に、回転の抵抗となり、風を発生させ、大きな騒音を発生させるという問題があった。さらに、ドラム１０１の回転の抵抗となっているため、消費電力も大きくなるという問題もあった。
【０００５】
本発明は、上記事情に鑑みてなされたもので、その目的は、ドラムの回転時の抵抗を減らすことにより、低騒音であると共に消費電力も低減できるドラム式洗濯機を提供する。
【課題を解決するための手段】
【０００６】
請求項１記載のドラム式洗濯機は、洗濯及び脱水を行なうドラムと、このドラムを内部に収納する水槽とを備え、前記ドラムをその軸心周りに回転駆動させるように構成されたものにおいて、前記ドラムの端板部に設けられ、前記ドラムを支持するシャフトを取付けるドラム支えと、前記ドラム支えの前記ドラムへの取付け部を略平坦に覆うカバーとを備えたことを特徴とする。
【０００７】
請求項６記載のドラム式洗濯機は、洗濯及び脱水を行なうドラムと、このドラムを内部に収納する水槽とを備え、前記ドラムをその軸心周りに回転駆動させるように構成されたものにおいて、前記ドラムの端板部に設けられ、前記ドラムを支持するシャフトを取付けるドラム支えと、前記ドラム支えを収容する凹部とを備え、前記ドラム支えには、補強用の凹凸形状が前記ドラムの端板部に向かって設けられていることを特徴とする。
【発明の効果】
【０００８】
請求項１記載のドラム式洗濯機によれば、ドラム支えのドラムへの取付け部をカバーによって略平坦に覆うように構成したので、ドラムの回転時の抵抗を減らすことができ、騒音を抑制することができると共に消費電力を低減させることができる。
【０００９】
請求項６記載のドラム式洗濯機によれば、ドラムの端板部にはドラム支えを収容する凹部を設けると共に、前記凹部にドラム支えを補強用の凹凸形状がドラムの端板部に向かうように収容したので、ドラムの回転時の抵抗を減らすことができ、騒音を抑制することができると共に消費電力を低減させることができる。
【発明を実施するための最良の形態】
【００１０】
（第１の実施例）
以下、本発明をドラム式の洗濯乾燥機に適用した第１の実施例について図１ないし図５を参照しながら説明する。図１は本実施例にかかるドラム式洗濯乾燥機の全体構成を示すものである。このドラム式洗濯乾燥機の土台をなす基台１は樹脂により形成されており、この基台１の上部には、略矩形箱状の外箱２が設けられている。この外箱２の前面には、前カバー３が設けられており、この前カバー３の中央部には、洗濯物を出し入れする開口部３ａ（図２参照）が設けられており、この開口部３ａは扉４により開閉可能に構成されている。前カバー３の扉４の上部には、操作パネル５が設けられている。この操作パネル５には、運転コースを選択するスイッチが設けられ、洗濯運転、乾燥運転、或いは洗濯運転及び乾燥運転を続けて行う洗濯乾燥運転等を選択することができる。
【００１１】
図２は、ドラム式洗濯乾燥機の縦断面図を示しており、外箱２内には、円筒状の水槽６が、ばね及び減衰装置を有するサスペンション７を介して基台１に支持されて設けられ、この水槽６の内部には、円筒状のステンレス（例えばＳＵＳ４０３）製のドラム８が収容されている。これら水槽６及びドラム８は、洗濯槽として機能するものであり、前記水槽６及びドラム８いずれも中心軸が後下がりに傾斜するように配置されている。
前記水槽６の軸方向両端面のうちの一方にはアウタロータ形のブラシレスＤＣモータ９が固定されている。前記モータ９のシャフト１０は水槽６の端面を貫通して水槽６内まで延びており、このシャフト１０の先端部はドラム支え１１に連結され、このドラム支え１１はドラム８の端板部８ｂに取り付けられている。この構成の場合、モータ９のロータが回転すると、前記ロータと一体にシャフト１０を軸心として、その回りにドラム８が回転するように構成されている。
【００１２】
ドラム８の周壁部には、通水孔及び通気孔として機能する多数の孔１２が設けられている（一部のみ図示）。また、水槽６の後下部には排水口が設けられており、前記排水口には排水ホース１３が連結されている。前記排水ホース１３の下端部には排水弁１４を介して排水管１５が連結されている。
前記水槽６及びドラム８の前端面には、開口部６ａ，８ａがそれぞれ設けられおり、この開口部６ａ，８ａは、ベロー１６を介して前カバー３の開口部３ａに連通されている。
水槽６の上部には、水槽６内に臨むように通気ダクト１７が配設され、この通気ダクト１７にはヒータ１８が接続され、その上流側には水槽６内に送風するための送風ファン１９が設けられ、送風ファン１９のさらに上流側は水槽６の内部に臨むように水槽６に接続されている。尚、図示しないがヒートポンプ（凝縮器及び蒸発器等を含む）も設けられている。これにより、ヒータ１８及び送風ファン１９が稼動されると、水槽６及びドラム８内の空気が循環すると共に除湿されるようになっている。
さらに、外箱２の操作パネル５の内側には、洗濯乾燥機の運転全般を制御する制御装置２０が設けられている。
【００１３】
上記構成の洗濯乾燥機において、使用者により操作パネル５のスイッチが操作されて運転コースが設定され、運転の開始が指示されると、洗濯乾燥機は、設定された運転コースに応じた洗濯運転、乾燥運転、或いは洗濯運転及び乾燥運転を続けて行う洗濯乾燥運転が実行される。例えば、洗濯乾燥運転が開始された場合は、洗濯工程、脱水工程、乾燥工程が順に実行される。
【００１４】
次に、ドラム支え１１のドラム８への取付け部の構成について、図３、図４を参照して説明する。
図３は本実施例のドラム８にドラム支え１１を取り付けた構成の斜視図である。この図３に示すように、ドラム支え１１は、中央部分１１ａと、この中央部分１１ａから放射状且つ等間隔に延びる３個の突出部分１１ｂとから構成されており、例えばアルミダイキャストで形成されている。ドラム支え１１の外面（ドラム８の端板部８ｂと反対側の面）には、図示するような形状の多数のリブ１１ｃが突設されており、これにより、ドラム支え１１の外面に補強用の凹凸形状が設けられる構成となっている。
【００１５】
これに対して、ドラム８の端板部８ｂには、上記した形状のドラム支え１１を収容する凹部８ｂがドラム８の内方へ向けて膨出するように形成されている。この構成の場合、ドラム支え１１を上記凹部８ｃ内に収容すると共に、ドラム支え１１の３個の突出部分１１ｂの各先端部をドラム８の周壁部にねじ止めすると共に、かしめることによりドラム支え１１をドラム８に取付け固定している。
【００１６】
そして、ドラム８の端板部８ｂには、整流カバー２１がドラム８の凹部８ｃを塞ぐと共にドラム支え１１を覆うように取り付けられている（図４参照）。この整流カバー２１は、ドラム８と同一材であるステンレス（例えばＳＵＳ４０３）により平板状に形成されており、ドラム８の凹部８ｃの形状よりも一回り大きい形状に形成されている。この整流カバー２１の中心部には、前記シャフト１０等を挿通させるための貫通孔２１ａが形成されている。
上記整流カバー２１をドラム８の端板部８ｂに取り付けると、端板部８ｂと整流カバー２１とが略面一になるように構成されている。尚、整流カバー２１はドラム８の端板部８ｂに設けられた孔１２を利用してねじ止めにより固定されている。
【００１７】
このような構成の本実施例によれば、ドラム支え１１をドラム８の端板部８ｂの凹部８ｃ内に収容して固定すると共に、平板状の整流カバー２１を凹部８ｃを塞ぎ且つドラム支え１１を覆うように端板部８ｂに取り付けることにより、ドラム８の端板部８ｂの外面を略平坦にしたので、脱水行程においてドラム８が高速回転（例えば１４００ｒｐｍ）される際に、回転の抵抗を減らすことができ、騒音を低減することができる。さらに、ドラム８の回転の抵抗が減ることから、消費電力を低減することができる。
【００１８】
ここで、本実施例による騒音低減を測定した結果を図５に示す。この図５は、上記ドラム式洗濯乾燥機を脱水運転させたときに発生する騒音のＦＦＴ解析の測定結果を示している。ここで、横軸は周波数（Ｈｚ）を表し、縦軸は音圧レベル（ｄＢ）を表しており、図５（ａ）は、整流カバー２１を装着する前の測定結果を示し、図５（ｂ）は、整流カバー２１を装着した後（本実施例）の測定結果を示している。この図５（ａ），（ｂ）を比較すると、整流カバー２１を装着すると、約２ｋＨｚから約５ｋＨｚまでの周波数帯において音圧レベルが十分に低減されていることが確認できる。尚、この周波数帯がドラムにより発生する騒音に対応している（約２ｋＨｚ以下の周波数帯はモータ騒音に対応している）。
【００１９】
また、上記実施例においては、整流カバー２１とドラム８とが、同一材として例えばステンレス（ＳＵＳ４０３）で形成されているので、異種材料で形成する構成に比べて、隙間腐食を抑制することができる。
【００２０】
（第２の実施例）
図６は本発明第２の実施例を示すもので、第１の実施例と異なるところを説明する。
図６に示すように、整流カバー２２は、凹部８ｃのうち外周側の部分が露出するような大きさ、即ち、ドラム８の端板部８ｂの半径方向の寸法が若干短くなるように形成されている。この整流カバー２２を、ドラム８の端板部８ｂに取り付けると、ドラム８の凹部８ｃのうち外周側の部分に隙間８ｅが形成される。
【００２１】
このような構成の第２の実施例によれば、外周側の部分にある隙間８ｅが水抜き孔となることから、整流カバー２２とドラム８の凹部８ｃの間に貯留する水を確実に排出することができる。その他上記第１の実施例と同様の効果を得ることができる。
【００２２】
（第３の実施例）
図７ないし図９は、本発明第３の実施例を示すもので、第１の実施例と異なるところを説明する。
図７はドラム８及びドラム支え２３の斜視図を示し、図８は図７の（ａ）−（ａ）線におけるドラム支え２３及びドラム８の断面図を示し、図９は、ドラム式洗濯機乾燥機の断面図を示す。
図８に示すように、ドラム支え２３の内面（ドラム８の端板部８ｂ側の面）には、補強用のリブ（凹凸形状）２３ａが形成されている。そして、ドラム支え２３の外面は、略平面状となっている。また、さらに、ドラム支え２３の周囲部分には、ドラム８の凹部８ｃの開口部を塞ぐようにフランジ部２３ｂ（図７及び図８参照）が形成されている。また、ドラム支え２３の突出部分２３ｂの先端部（即ち、ドラム８の外周側の部分）には、孔２３ｃが形成されている。
上記構成の場合、ドラム支え２３を、ドラム８の凹部８ｃ内にドラム支え２３のリブ２３ａがドラム８の端板部８ｂ側を向くように収容してドラム８に取り付ける（図９参照）。これにより、ドラム８の凹部８ｃの開口部がドラム支え２３及びそのフランジ部２３ｂにより塞がれるようになる。
【００２３】
このような構成の第３の実施例によれば、ドラム８の端板部８ｂの凹部８ｃには、ドラム支え２３の補強用のリブ２３ａがドラム８の端板部８ｂ側を向くように設け、端板部８ｂとドラム支え２３が略面一となるように構成したので、脱水行程においてドラム８が高速回転される際に、回転の抵抗を減らすことができ、騒音を低減することができる。特に、第３の実施例の場合、第１の実施例の整流カバー２１を不要にできるので、部品点数を減らすことができ、コストを低減できる。
【００２４】
また、第３の実施例では、ドラム支え２３に、ドラム８の凹部８ｃの開口部を塞ぐようにフランジ部２３ｂを設けたので、より一層騒音を低減することができると共に消費電力をより一層低減することができる。
上記第３の実施例において、ドラム支え２３にフランジ部２３ｂを設ける構成としたが、フランジ部２３ｂは必ずしも設ける必要はない。
【００２５】
（変形例）
本発明は上記し且つ図面に示した実施例に限定されるものではなく、以下に述べるような変形または拡張が可能である。
【００２６】
上記第１の実施例において、ドラム８の端板部８ｂに凹部８ｃを設け、この凹部８ｃにドラム支え１１を収容してドラム８に取り付ける構成としたが、ドラム８の端板部８ｂに凹部８ｃを設けることなく、ドラム支え１１をドラム８に取り付ける構成としてもよく、この場合には、ドラム支え１１を含んだドラム８の端板部８ｂ全体を覆う円板状（端板部８ｂと略同じ大きさ）の整流カバーを設けるように構成すればよい。
【００２７】
また、図１０，図１１に示すように、ドラム８の凹部８ｃの開口縁部に、整流カバー２１の板厚程度の段部８ｃを設け、段部８ｃに整流カバー２１を載置して嵌合させる構成としてもよい。この場合、ドラム８の端板部８ｂの面より整流カバー２１がやや凹状態になるようにする。このような構成によれば、整流カバー２１の板厚分の段差もなくなると共にやや凹状態であるので、ドラム８の高速回転時において、整流カバー２１の端面での風の抵抗をより一層低減できるから、騒音を一層低減できると共に消費電力を一層抑えることができる。また、ドラム８の段部８ｃと整流カバー２１とが接する端面にパッキンを設ける構成としてもよい。
【００２８】
また、上記第２の実施例において、ドラム８の凹部８ｃのうちドラム８の外周側に隙間８ｅを設ける構成としたが、図１２に示すように、整流カバー２１の突出部分２１ｂの先端部（ドラム８の外周側付近）に水抜き用の孔２１ｂを設ける構成としてもよい。尚、孔２１ｂは、水が通過することができれば、どんな形状（例えば切欠部）であってもよい。
【００２９】
尚、上記各実施例においては、フロントローディング方式のドラム式洗濯（乾燥）機に適用したが、トップローディング方式のドラム式洗濯（乾燥）機に適用しても良い。
【図面の簡単な説明】
【００３０】
【図１】本発明第１の実施例を示すドラム式洗濯乾燥機の全体斜視図
【図２】ドラム式洗濯乾燥機の断面図
【図３】要部の斜視図その１
【図４】要部の斜視図その２
【図５】（ａ）整流カバー装着前の測定結果、（ｂ）整流カバー装着後の結果測定結果を示す。
【図６】本発明第２の実施例を示す図３相当図
【図７】本発明第３の実施例を示す図３相当図
【図８】（ａ）−（ａ）線における断面図
【図９】図２相当図
【図１０】変形例を示す図４相当図
【図１１】（ｂ）−（ｂ）線における断面図
【図１２】変形例を示す図７相当図
【図１３】従来技術を示す図
【符号の説明】
【００３１】
図面中、１は基台、２は外箱、６は水槽、８はドラム、８ａは開口部、８ｂは端板部、８ｃは凹部、８ｄは段部、９はモータ、１０はシャフト、１１，２３はドラム支え、１１ａは中心部、１１ｂは突出部、１１ｃ，２３ａはリブ（凹凸形状）、２１，２２は整流カバー（カバー）、２１ａ，２３ｃは孔、２３ｂはフランジ部（開口を塞ぐような形状部分）を示す。
【図１】
2006223564.tif 000003
【図２】
2006223564.tif 000004
【図３】
2006223564.tif 000005
【図４】
2006223564.tif 000006
【図５】
2006223564.tif 000007
【図６】
2006223564.tif 000008
【図７】
2006223564.tif 000009
【図８】
2006223564.tif 000010
【図９】
2006223564.tif 000011
【図１０】
2006223564.tif 000012
【図１１】
2006223564.tif 000013
【図１２】
2006223564.tif 000014
【図１３】
2006223564.tif 000015